(57)【特許請求の範囲】
【請求項１】
店舗に設けられた店舗端末と、サービス事業者に設けられた事業者サーバとから構成されるカードサービスシステムであって、
前記店舗端末は、
前記店舗で提供されるサービスを識別するサービスＩＤを保持し、顧客のカードを読み取って顧客を識別する顧客ＩＤを取得し、前記サービスＩＤと前記顧客ＩＤとを前記事業者サーバへ送信するカードリーダ端末と、
顧客向けに一括してサービスを行うバッチサービスの実行を前記事業者サーバに対して要求するバッチサービス要求端末と、を有し、
前記事業者サーバは、
顧客の個人情報を格納する個人情報格納手段と、
店舗ごとに提供されるサービスの情報を格納するサービス情報格納手段と、
前記カードリーダ端末から送信された前記サービスＩＤ及び前記顧客ＩＤを用いて、前記サービス情報格納手段及び前記個人情報格納手段から前記カードを読み取った店舗で提供されるサービス及び前記カードを読み取られた顧客の個人情報を取得し、前記カードを読み取られた顧客に対するリアルタイムのサービスの実行を要求するリアルタイムサービス要求手段と、
前記リアルタイムサービス要求手段により要求された前記リアルタイムサービスを実行し、前記リアルタイムサービスの実行結果を前記個人情報格納手段に書き込むリアルタイムサービス実行手段と、
サービス対象者及びサービス内容を前記サービス情報格納手段及び前記個人情報格納手段から取得し、前記バッチサービス要求端末により要求された前記バッチサービスを実行するバッチサービス実行手段と、を有し、
前記バッチサービス要求端末は、顧客向けに一括してサービスを行うバッチサービスについてサービスＩＤ及び対象顧客の絞り込み条件を送信し、前記事業者サーバに対して前記バッチサービスの要求を行い、
前記事業者サーバの前記バッチサービス実行手段は、前記バッチサービス要求端末から送信された前記サービスＩＤ及び前記対象顧客の絞り込み条件を用いて、サービス対象者及びサービス内容を前記サービス情報格納手段及び前記個人情報格納手段から取得し、前記バッチサービス要求端末により要求された前記バッチサービスを実行し、
前記事業者サーバの前記リアルタイムサービス実行手段は、サービスＩＤのサービスがポイント加算処理を示す場合は、前記個人情報格納手段にアクセスし、サービス欄にポイントを加算してポイント結果を更新し、該当するサービスの履歴欄にポイントサービスの実施日を書き込んでデータ更新を行い、または、サービスＩＤのサービスが会員証処理を示す場合は、前記個人情報格納手段にアクセスし、該当サービス欄に会員証登録があるかどうかチェックして、該当するサービスの履歴欄に会員証の提示履歴を書き込んでデータ更新を行い、または、サービスＩＤのサービスが駐車場割引処理を示す場合は、前記個人情報格納手段にアクセスし、該当サービス欄に駐車場割引権利が設定されているかどうかチェックして、該当するサービスの履歴欄に会員証の提示履歴を書き込んでデータ更新を行う、ことを特徴とするカードサービスシステム。
【請求項２】
前記事業者サーバは、顧客の個人情報を入力して前記個人情報格納手段に登録する個人情報登録手段を有することを特徴とする請求項１に記載のカードサービスシステム。
【請求項３】
前記事業者サーバは、店舗ごとに提供されるサービスの情報を入力して前記サービス情報格納手段に登録するサービス情報登録手段を有することを特徴とする請求項１又は２に記載のカードサービスシステム。
【請求項４】
サービス事業者に設けられ、店舗に設けられた店舗端末とともにカードサービスシステムを構成するサーバ装置であって、
顧客の個人情報を格納する個人情報格納手段と、
店舗ごとに提供されるサービスの情報を格納するサービス情報格納手段と、
顧客のカードを読み取って顧客を識別する顧客ＩＤを取得し、前記店舗で提供されるサービスを識別するサービスＩＤ及び前記顧客ＩＤを送信する前記店舗端末からの前記サービスＩＤ及び前記顧客ＩＤを用いて、前記サービス情報格納手段及び前記個人情報格納手段から前記カードを読み取った店舗で提供されるサービス及び前記カードを読み取られた顧客の個人情報を取得し、前記カードを読み取られた顧客に対するリアルタイムのサービスの実行を要求するリアルタイムサービス要求手段と、
前記リアルタイムサービス要求手段により要求された前記リアルタイムサービスを実行し、前記リアルタイムサービスの実行結果を前記個人情報格納手段に書き込むリアルタイムサービス実行手段と、
顧客向けに一括してサービスを行うバッチサービスの前記店舗端末からの実行要求に対して、サービス対象者及びサービス内容を前記サービス情報格納手段及び前記個人情報格納手段から取得し、前記店舗端末から要求された前記バッチサービスを実行するバッチサービス実行手段とを有し、
前記バッチサービス実行手段は、顧客向けに一括してサービスを行うバッチサービスについてサービスＩＤ及び対象顧客の絞り込み条件を送信する前記店舗端末からの前記バッチサービスの実行要求に対して、前記店舗端末からの前記サービスＩＤ及び対象顧客の絞り込み条件を用いて、サービス対象者及びサービス内容を前記サービス情報格納手段及び前記個人情報格納手段から取得し、前記店舗端末から要求された前記バッチサービスを実行し、
前記事業者サーバの前記リアルタイムサービス実行手段は、サービスＩＤのサービスがポイント加算処理を示す場合は、前記個人情報格納手段にアクセスし、サービス欄にポイントを加算してポイント結果を更新し、該当するサービスの履歴欄にポイントサービスの実施日を書き込んでデータ更新を行い、または、サービスＩＤのサービスが会員証処理を示す場合は、前記個人情報格納手段にアクセスし、該当サービス欄に会員証登録があるかどうかチェックして、該当するサービスの履歴欄に会員証の提示履歴を書き込んでデータ更新を行い、または、サービスＩＤのサービスが駐車場割引処理を示す場合は、前記個人情報格納手段にアクセスし、該当サービス欄に駐車場割引権利が設定されているかどうかチェックして、該当するサービスの履歴欄に会員証の提示履歴を書き込んでデータ更新を行う、ことを特徴とするサーバ装置。
【請求項５】
顧客の個人情報を入力して前記個人情報格納手段に登録する個人情報登録手段を有することを特徴とする請求項４に記載のサーバ装置。
【請求項６】
店舗ごとに提供されるサービスの情報を入力して前記サービス情報格納手段に登録するサービス情報登録手段を有することを特徴とする請求項４又は５に記載のサーバ装置。
【請求項７】
店舗に設けられた店舗端末と、サービス事業者に設けられた事業者サーバとから構成されるカードサービスシステムでのカードサービス方法であって、
前記店舗端末において、
前記店舗で提供されるサービスを識別するサービスＩＤを保持し、顧客のカードを読み取って顧客を識別する顧客ＩＤを取得し、前記店舗で提供されるサービスを識別するサービスＩＤと前記顧客ＩＤとを前記事業者サーバへ送信し、前記バッチサービスについてサービスＩＤ及び対象顧客の絞り込み条件を送信し、顧客向けに一括してサービスを行うバッチサービスの実行を前記事業者サーバに対して要求し、
顧客の個人情報を格納する個人情報格納手段及び店舗ごとに提供されるサービスの情報を格納するサービス情報格納手段を備える前記事業者サーバにおいて、
前記店舗端末から送信された前記サービスＩＤ及び前記顧客ＩＤを用いて、前記サービス情報格納手段及び前記個人情報格納手段から前記カードを読み取った店舗で提供されるサービス及び前記カードを読み取られた顧客の個人情報を取得し、前記カードを読み取られた顧客に対するリアルタイムのサービスの実行を要求するリアルタイムサービス要求ステップと、
前記リアルタイムサービス要求ステップにより要求された前記リアルタイムサービスを実行し、前記リアルタイムサービスの実行結果を前記個人情報格納手段に書き込むリアルタイムサービス実行ステップと、
サービス対象者及びサービス内容を前記サービス情報格納手段及び前記個人情報格納手段から取得し、前記店舗端末により要求された前記バッチサービスを実行するバッチサービス実行ステップと、
前記バッチサービス実行ステップは、前記店舗端末から送信された前記サービスＩＤ及び前記対象顧客の絞り込み条件を用いて、サービス対象者及びサービス内容を前記サービス情報格納手段及び前記個人情報格納手段から取得し、前記店舗端末により要求された前記バッチサービスを実行し、
前記事業者サーバの前記リアルタイムサービス実行手段は、サービスＩＤのサービスがポイント加算処理を示す場合は、前記個人情報格納手段にアクセスし、サービス欄にポイントを加算してポイント結果を更新し、該当するサービスの履歴欄にポイントサービスの実施日を書き込んでデータ更新を行い、または、サービスＩＤのサービスが会員証処理を示す場合は、前記個人情報格納手段にアクセスし、該当サービス欄に会員証登録があるかどうかチェックして、該当するサービスの履歴欄に会員証の提示履歴を書き込んでデータ更新を行い、または、サービスＩＤのサービスが駐車場割引処理を示す場合は、前記個人情報格納手段にアクセスし、該当サービス欄に駐車場割引権利が設定されているかどうかチェックして、該当するサービスの履歴欄に会員証の提示履歴を書き込んでデータ更新を行う、ことを特徴とするカードサービス方法。
【請求項８】
店舗に設けられた店舗端末と、サービス事業者に設けられた事業者サーバとから構成されるカードサービスシステムで用いられるプログラムであって、
顧客の個人情報を格納する個人情報格納手段及び店舗ごとに提供されるサービスの情報を格納するサービス情報格納手段を備える前記事業者サーバにおいて、
顧客のカードを読み取って顧客を識別する顧客ＩＤを取得し、前記店舗で提供されるサービスを識別するサービスＩＤ及び前記顧客ＩＤを送信する前記店舗端末からの前記サービスＩＤ及び前記顧客ＩＤを用いて、前記サービス情報格納手段及び前記個人情報格納手段から前記カードを読み取った店舗で提供されるサービス及び前記カードを読み取られた顧客の個人情報を取得し、前記カードを読み取られた顧客に対するリアルタイムのサービスの実行を要求するリアルタイムサービス要求機能と、
前記リアルタイムサービス要求機能により要求された前記リアルタイムサービスを実行し、前記リアルタイムサービスの実行結果を前記個人情報格納手段に書き込むリアルタイムサービス実行機能と、
顧客向けに一括してサービスを行うバッチサービスの前記店舗端末からの実行要求に対して、前記店舗端末から送信された前記サービスＩＤ及び対象顧客の絞り込み条件を用いて、サービス対象者及びサービス内容を前記サービス情報格納手段及び前記個人情報格納手段から取得し、前記店舗端末により要求された前記バッチサービスを実行するバッチサービス実行機能と、
前記事業者サーバの前記リアルタイムサービス実行機能は、サービスＩＤのサービスがポイント加算処理を示す場合は、前記個人情報格納手段にアクセスし、サービス欄にポイントを加算してポイント結果を更新し、該当するサービスの履歴欄にポイントサービスの実施日を書き込んでデータ更新を行い、または、サービスＩＤのサービスが会員証処理を示す場合は、前記個人情報格納手段にアクセスし、該当サービス欄に会員証登録があるかどうかチェックして、該当するサービスの履歴欄に会員証の提示履歴を書き込んでデータ更新を行い、または、サービスＩＤのサービスが駐車場割引処理を示す場合は、前記個人情報格納手段にアクセスし、該当サービス欄に駐車場割引権利が設定されているかどうかチェックして、該当するサービスの履歴欄に会員証の提示履歴を書き込んでデータ更新を行う機能と、をコンピュータに実現させることを特徴とするプログラム。
【請求項９】
請求項８に記載のプログラムを記録しコンピュータ読み取り可能なことを特徴とする記録媒体。
【発明の詳細な説明】
【技術分野】
【０００１】
本発明は、カードサービスシステム、サーバ装置、カードサービス方法、プログラム、及び記録媒体に関し、特に、クレジットカードやポイントカード等のカードを用いて顧客に種々のサービスを提供するサービスシステムに好ましく適用される技術に関するものである。
【背景技術】
【０００２】
従来、顧客に配布するカードを用いて店舗が顧客向けに各種のサービスを行っている。このようなサービスとしては、会員証やポイントカードといった個人を特定する必要があるサービス、また駐車場入場カードや整理券等の個人を特定しないサービス等に分類できる。前者のような会員証やポイントサービスを用いたサービスを行う場合、店舗では、顧客を識別できるＩＤを付与したカードを発行し、店頭にはカードの読み取り機を設置して顧客へサービスを提供していた。そして、店舗の顧客データベースで住所、氏名、連絡先等の個人情報をカードのＩＤと関連付けて管理する必要があった。この個人情報は個人情報保護法の対象となり、店舗は厳密な顧客管理システムと個人情報保護システムを構築する必要があった。このため、店舗が顧客の個人情報を管理するシステムを保有することは、情報システムの構築コスト、維持コスト、個人情報の保全コスト等に多大の投資が必要であった。
【０００３】
このような顧客管理システムにかかるコストを抑制するため、個人情報を保有せずにＩＤだけの管理を行う等の方策を採ることは確かに可能である。しかしながら、一方で店舗は、売上げ拡大のために、来店顧客の消費行動把握や顧客向けプロモーションといったマーケティング活動を行う必要がある。店舗の個人情報データベースは、顧客向けの一斉メール配信やＤＭ配信等のプロモーションに必要なデータであり、個人情報を保有しないＩＤだけの管理を行った場合にはダイレクトメールやメールマガジン等の顧客向けプロモーションはできない。そして、このような顧客管理システムを構築して、有効な顧客向けプロモーションを実施できるのは、大型小売店等の資金的に余裕のある店舗に限られているのが実情であった。
【０００４】
ところで、例えば特許文献１では、複数のサービスシステムの情報連携によってユーザの意図しない個人情報が作り出されることがない個人情報統合管理システムが開示されている。当該個人情報統合管理システムでは、サービスシステムが個人情報管理システムにサービスシステムＩＤと顧客ＩＤを送信し、個人情報管理システムが両ＩＤから個人情報ＤＢを検索してユーザＩＤを特定し、このユーザＩＤを用いて個人情報ＤＢから顧客情報と連携させるべき個人情報を取得する。
【０００５】
また、例えば特許文献２では、ポイントカードシステムを媒介にして自動車保険会社と自動車修理会社との提携関係を強化し、顧客数の拡大と顧客の囲い込みとを可能にする技術が開示されている。当該技術は、代理店端末装置と修理店端末装置とシステム管理運営サーバとを通信回線で接続してポイントカードシステムを実現するものである。そして、代理店端末装置や修理店端末装置もいずれからも自動車修理会社発行のポイントカードが作成でき、ポイントカードを利用した商取引ができるように構成されている。
【特許文献１】特開２００３−８５４９３号公報
【特許文献２】特開２００５−２４２９２７号公報
【発明の開示】
【発明が解決しようとする課題】
【０００６】
特許文献１で開示された発明は、それぞれが顧客情報を保持する複数のサービスシステムの情報連携により、ユーザの意図しない個人情報の使用を防止するためのシステムである。また、特許文献２で開示された発明は、自動車保険会社と自動車修理会社との間でポイントカードシステムを有効活用できるようにするシステムである。つまり、いずれも特許文献による発明も、店舗側における顧客情報管理のコストや負担を軽減しつつ、カードを利用した顧客に対して店舗による種々のサービスをリアルタイムに提供でき、また顧客に向けたプロモーションや顧客全般への一括サービスを可能とするものではない。
【０００７】
そこで、本発明は、店舗側における顧客情報管理のコストや負担を軽減しつつ、カードを利用した顧客に対して店舗による種々のサービスを提供することが可能なカードサービスシステム等を提供することを目的とする。
【課題を解決するための手段】
【０００８】
かかる目的を達成するために、本発明のカードサービスシステムは、店舗に設けられた店舗端末と、サービス事業者に設けられた事業者サーバとから構成されるカードサービスシステムであって、前記店舗端末は、前記店舗で提供されるサービスを識別するサービスＩＤを保持し、顧客のカードを読み取って顧客を識別する顧客ＩＤを取得し、前記サービスＩＤと前記顧客ＩＤとを前記事業者サーバへ送信するカードリーダ端末と、顧客向けに一括してサービスを行うバッチサービスの実行を前記事業者サーバに対して要求するバッチサービス要求端末と、を有し、前記事業者サーバは、顧客の個人情報を格納する個人情報格納手段と、店舗ごとに提供されるサービスの情報を格納するサービス情報格納手段と、前記カードリーダ端末から送信された前記サービスＩＤ及び前記顧客ＩＤを用いて、前記サービス情報格納手段及び前記個人情報格納手段から前記カードを読み取った店舗で提供されるサービス及び前記カードを読み取られた顧客の個人情報を取得し、前記カードを読み取られた顧客に対するリアルタイムのサービスの実行を要求するリアルタイムサービス要求手段と、前記リアルタイムサービス要求手段により要求された前記リアルタイムサービスを実行し、前記リアルタイムサービスの実行結果を前記個人情報格納手段に書き込むリアルタイムサービス実行手段と、サービス対象者及びサービス内容を前記サービス情報格納手段及び前記個人情報格納手段から取得し、前記バッチサービス要求端末により要求された前記バッチサービスを実行するバッチサービス実行手段と、を有し、前記バッチサービス要求端末は、顧客向けに一括してサービスを行うバッチサービスについてサービスＩＤ及び対象顧客の絞り込み条件を送信し、前記事業者サーバに対して前記バッチサービスの要求を行い、前記事業者サーバの前記バッチサービス実行手段は、前記バッチサービス要求端末から送信された前記サービスＩＤ及び前記対象顧客の絞り込み条件を用いて、サービス対象者及びサービス内容を前記サービス情報格納手段及び前記個人情報格納手段から取得し、前記バッチサービス要求端末により要求された前記バッチサービスを実行し、前記事業者サーバの前記リアルタイムサービス実行手段は、サービスＩＤのサービスがポイント加算処理を示す場合は、前記個人情報格納手段にアクセスし、サービス欄にポイントを加算してポイント結果を更新し、該当するサービスの履歴欄にポイントサービスの実施日を書き込んでデータ更新を行い、または、サービスＩＤのサービスが会員証処理を示す場合は、前記個人情報格納手段にアクセスし、該当サービス欄に会員証登録があるかどうかチェックして、該当するサービスの履歴欄に会員証の提示履歴を書き込んでデータ更新を行い、または、サービスＩＤのサービスが駐車場割引処理を示す場合は、前記個人情報格納手段にアクセスし、該当サービス欄に駐車場割引権利が設定されているかどうかチェックして、該当するサービスの履歴欄に会員証の提示履歴を書き込んでデータ更新を行う、ことを特徴とする。
【０００９】
また、本発明のサーバ装置は、サービス事業者に設けられ、店舗に設けられた店舗端末とともにカードサービスシステムを構成するサーバ装置であって、顧客の個人情報を格納する個人情報格納手段と、店舗ごとに提供されるサービスの情報を格納するサービス情報格納手段と、顧客のカードを読み取って顧客を識別する顧客ＩＤを取得し、前記店舗で提供されるサービスを識別するサービスＩＤ及び前記顧客ＩＤを送信する前記店舗端末からの前記サービスＩＤ及び前記顧客ＩＤを用いて、前記サービス情報格納手段及び前記個人情報格納手段から前記カードを読み取った店舗で提供されるサービス及び前記カードを読み取られた顧客の個人情報を取得し、前記カードを読み取られた顧客に対するリアルタイムのサービスの実行を要求するリアルタイムサービス要求手段と、前記リアルタイムサービス要求手段により要求された前記リアルタイムサービスを実行し、前記リアルタイムサービスの実行結果を前記個人情報格納手段に書き込むリアルタイムサービス実行手段と、顧客向けに一括してサービスを行うバッチサービスの前記店舗端末からの実行要求に対して、サービス対象者及びサービス内容を前記サービス情報格納手段及び前記個人情報格納手段から取得し、前記店舗端末から要求された前記バッチサービスを実行するバッチサービス実行手段とを有し、前記バッチサービス実行手段は、顧客向けに一括してサービスを行うバッチサービスについてサービスＩＤ及び対象顧客の絞り込み条件を送信する前記店舗端末からの前記バッチサービスの実行要求に対して、前記店舗端末からの前記サービスＩＤ及び対象顧客の絞り込み条件を用いて、サービス対象者及びサービス内容を前記サービス情報格納手段及び前記個人情報格納手段から取得し、前記店舗端末から要求された前記バッチサービスを実行し、前記事業者サーバの前記リアルタイムサービス実行手段は、サービスＩＤのサービスがポイント加算処理を示す場合は、前記個人情報格納手段にアクセスし、サービス欄にポイントを加算してポイント結果を更新し、該当するサービスの履歴欄にポイントサービスの実施日を書き込んでデータ更新を行い、または、サービスＩＤのサービスが会員証処理を示す場合は、前記個人情報格納手段にアクセスし、該当サービス欄に会員証登録があるかどうかチェックして、該当するサービスの履歴欄に会員証の提示履歴を書き込んでデータ更新を行い、または、サービスＩＤのサービスが駐車場割引処理を示す場合は、前記個人情報格納手段にアクセスし、該当サービス欄に駐車場割引権利が設定されているかどうかチェックして、該当するサービスの履歴欄に会員証の提示履歴を書き込んでデータ更新を行う、ことを特徴とする。
【００１０】
また、本発明のカードサービス方法は、店舗に設けられた店舗端末と、サービス事業者に設けられた事業者サーバとから構成されるカードサービスシステムでのカードサービス方法であって、前記店舗端末において、前記店舗で提供されるサービスを識別するサービスＩＤを保持し、顧客のカードを読み取って顧客を識別する顧客ＩＤを取得し、前記店舗で提供されるサービスを識別するサービスＩＤと前記顧客ＩＤとを前記事業者サーバへ送信し、前記バッチサービスについてサービスＩＤ及び対象顧客の絞り込み条件を送信し、顧客向けに一括してサービスを行うバッチサービスの実行を前記事業者サーバに対して要求し、顧客の個人情報を格納する個人情報格納手段及び店舗ごとに提供されるサービスの情報を格納するサービス情報格納手段を備える前記事業者サーバにおいて、前記店舗端末から送信された前記サービスＩＤ及び前記顧客ＩＤを用いて、前記サービス情報格納手段及び前記個人情報格納手段から前記カードを読み取った店舗で提供されるサービス及び前記カードを読み取られた顧客の個人情報を取得し、前記カードを読み取られた顧客に対するリアルタイムのサービスの実行を要求するリアルタイムサービス要求ステップと、前記リアルタイムサービス要求ステップにより要求された前記リアルタイムサービスを実行し、前記リアルタイムサービスの実行結果を前記個人情報格納手段に書き込むリアルタイムサービス実行ステップと、サービス対象者及びサービス内容を前記サービス情報格納手段及び前記個人情報格納手段から取得し、前記店舗端末により要求された前記バッチサービスを実行するバッチサービス実行ステップと、前記バッチサービス実行ステップは、前記店舗端末から送信された前記サービスＩＤ及び前記対象顧客の絞り込み条件を用いて、サービス対象者及びサービス内容を前記サービス情報格納手段及び前記個人情報格納手段から取得し、前記店舗端末により要求された前記バッチサービスを実行し、前記事業者サーバの前記リアルタイムサービス実行手段は、サービスＩＤのサービスがポイント加算処理を示す場合は、前記個人情報格納手段にアクセスし、サービス欄にポイントを加算してポイント結果を更新し、該当するサービスの履歴欄にポイントサービスの実施日を書き込んでデータ更新を行い、または、サービスＩＤのサービスが会員証処理を示す場合は、前記個人情報格納手段にアクセスし、該当サービス欄に会員証登録があるかどうかチェックして、該当するサービスの履歴欄に会員証の提示履歴を書き込んでデータ更新を行い、または、サービスＩＤのサービスが駐車場割引処理を示す場合は、前記個人情報格納手段にアクセスし、該当サービス欄に駐車場割引権利が設定されているかどうかチェックして、該当するサービスの履歴欄に会員証の提示履歴を書き込んでデータ更新を行う、ことを特徴とする。
【００１１】
また、本発明のプログラムは、店舗に設けられた店舗端末と、サービス事業者に設けられた事業者サーバとから構成されるカードサービスシステムで用いられるプログラムであって、顧客の個人情報を格納する個人情報格納手段及び店舗ごとに提供されるサービスの情報を格納するサービス情報格納手段を備える前記事業者サーバにおいて、顧客のカードを読み取って顧客を識別する顧客ＩＤを取得し、前記店舗で提供されるサービスを識別するサービスＩＤ及び前記顧客ＩＤを送信する前記店舗端末からの前記サービスＩＤ及び前記顧客ＩＤを用いて、前記サービス情報格納手段及び前記個人情報格納手段から前記カードを読み取った店舗で提供されるサービス及び前記カードを読み取られた顧客の個人情報を取得し、前記カードを読み取られた顧客に対するリアルタイムのサービスの実行を要求するリアルタイムサービス要求機能と、前記リアルタイムサービス要求機能により要求された前記リアルタイムサービスを実行し、前記リアルタイムサービスの実行結果を前記個人情報格納手段に書き込むリアルタイムサービス実行機能と、顧客向けに一括してサービスを行うバッチサービスの前記店舗端末からの実行要求に対して、前記店舗端末から送信された前記サービスＩＤ及び対象顧客の絞り込み条件を用いて、サービス対象者及びサービス内容を前記サービス情報格納手段及び前記個人情報格納手段から取得し、前記店舗端末により要求された前記バッチサービスを実行するバッチサービス実行機能と、前記事業者サーバの前記リアルタイムサービス実行機能は、サービスＩＤのサービスがポイント加算処理を示す場合は、前記個人情報格納手段にアクセスし、サービス欄にポイントを加算してポイント結果を更新し、該当するサービスの履歴欄にポイントサービスの実施日を書き込んでデータ更新を行い、または、サービスＩＤのサービスが会員証処理を示す場合は、前記個人情報格納手段にアクセスし、該当サービス欄に会員証登録があるかどうかチェックして、該当するサービスの履歴欄に会員証の提示履歴を書き込んでデータ更新を行い、または、サービスＩＤのサービスが駐車場割引処理を示す場合は、前記個人情報格納手段にアクセスし、該当サービス欄に駐車場割引権利が設定されているかどうかチェックして、該当するサービスの履歴欄に会員証の提示履歴を書き込んでデータ更新を行う機能と、をコンピュータに実現させることを特徴とする。
【００１２】
また、本発明の記録媒体は、上記のプログラムを記録しコンピュータ読み取り可能な記録媒体である。
【発明の効果】
【００１３】
本発明によれば、店舗側における顧客情報管理のコストや負担を軽減しつつ、カードを利用した顧客に対して店舗による種々のサービスを提供することが可能となる。
【発明を実施するための最良の形態】
【００１４】
本発明が適用されるカードサービスシステムは、図１に示すように、店舗端末１と事業者サーバ４から構成される。店舗端末１は、顧客のカードを読み取るカードリーダ端末２、バッチサービス（顧客向けに一括して行うサービス）の実行を要求するバッチサービス要求端末３を有する。事業者サーバ４は、顧客の個人情報を格納する個人情報格納手段５、店舗ごとに提供されるサービスの情報を格納するサービス情報格納手段６、カードを読み取られた顧客に対するリアルタイムのサービスの実行を要求するリアルタイムサービス要求手段７、該リアルタイムサービスを実行するリアルタイムサービス実行手段８、バッチサービスを実行するバッチサービス実行手段９を有する。
【００１５】
店舗端末１では、カードリーダ端末２は、顧客のカードを読み取り顧客ＩＤを取得し、サービスＩＤとともに事業者サーバ４へ送信する。顧客ＩＤは顧客を識別する情報であり、サービスＩＤはその店舗で提供されるサービスを識別する情報である。また、バッチサービス要求端末３は、事業者サーバ４へバッチサービスの実行を要求する。そして、事業者サーバ４では、リアルタイムサービス要求手段７は、カードリーダ端末３からのサービスＩＤを用いてサービス情報格納手段６からその店舗で提供されるサービスの情報を取得する。また、カードリーダ端末３からの顧客ＩＤを用いて個人情報格納手段５からカードを使用した顧客の個人情報を取得する。そして、カードを読み取られた顧客に対するリアルタイムのサービスの実行を要求する。リアルタイムサービス実行手段８は、リアルタイムサービス要求手段７による実行要求に従って、該顧客に対するリアルタイムサービスを実行し、その実行結果を個人情報格納手段５に書き込む。また、バッチサービス実行手段９は、サービス情報格納手段６及び個人情報格納手段５からサービス対象者及びサービス内容を取得し、該バッチサービス要求端末により要求されたバッチサービスを実行し、その実行結果を個人情報格納手段５に書き込む。
【００１６】
上記カードサービスシステムは、バッチサービス要求端末３が、サービスＩＤ及び対象顧客の絞り込み条件を送信し、バッチサービスの実行要求を行うように構成してもよい。また、バッチサービス実行手段９は、バッチサービス要求端末３からのサービスＩＤ及び絞り込み条件を用いてサービス情報格納手段６及び個人情報格納手段５からサービス対象者及びサービス内容を取得し、このサービス対象者に対して要求されたバッチサービスを実行するように構成してもよい。
【００１７】
このように、本発明では、店舗側（店舗端末２）が顧客の個人情報を一切管理せず、サービス事業者側（事業者サーバ４）が店舗のサービス情報と顧客の個人情報を管理する。そして、事業者サーバ４において、店舗端末２からのデータ（顧客ＩＤ及びサービスＩＤ）に基づいてサービスに必要な対象顧客とサービス情報のデータをデータベース（個人情報格納手段５及びサービス情報格納手段６）から取得し、顧客に対するサービスを実行する。このため、店舗側における顧客情報管理のコストや負担を軽減しつつ、カードを利用した顧客に対して店舗による種々のサービス（カードを利用した顧客へのリアルタイムサービスや、メール一斉送信、ＤＭ一斉送信といった顧客全般への一括サービス等）を提供することが可能となる。
【００１８】
以下、図２から図８を参照しながら本発明の実施形態について説明する。
【００１９】
図２は、本実施形態のカードサービスシステムの構成を示した図である。カードサービスシステム１００は、店舗端末２０と事業者サーバ３０とがネットワークに接続されて構成される。店舗端末２０は、カードリーダ端末２１及びバッチサービス要求端末２２を有する。事業者サーバ３０は、個人情報ＤＢ３１、サービスＤＢ３２、リアルタイムサービス要求手段３３、リアルタイムサービス実行手段３４、個人情報登録手段３５、サービス情報登録手段３６、及びバッチサービス実行手段３７を有する。
【００２０】
個人情報登録手段３５は、顧客５０や店舗から取得した顧客の個人情報（例えば住所、氏名、年齢、性別、家族構成、趣味、年収等）をその個人が保有するカードＩＤ（例えばカード番号等）と関連付けて個人情報ＤＢ３１に登録する。個人情報登録手段３５は、個人情報ＤＢ３１を有する事業者サーバ３０とインターネット等のネットワークで接続された端末装置（ＰＣ等）や、データ入力専用端末（ＯＣＲ等）で構成される。なお、個人情報はテキストデータで入力される。
【００２１】
サービス事業者が保有する顧客の個人情報のデータベースは、図４に示すように、顧客が保有するカードのＩＤと、それに対応した個人情報のプロファイル項目と、その顧客が希望するサービスを登録したサービス登録と、提供を受けたサービスの履歴項目とから構成される。図４の例でいえば、佐藤という顧客は東京都港区に在住し、２０才で独身である。そして、サービスＡのポイントサービスと、サービスＢの駐車場割引サービス、サービスＣのポイントサービス、サービスＤの会員証をその保有するカードで登録している。登録しているサービスＡ〜Ｄは、後述の店舗があらかじめ登録したサービス名である。また、この佐藤なる人物がサービスＡやサービスＢを受けたいと思って、各店舗でカードのＩＤを読み込ませた日時の履歴データも併せて格納できるようになっている。
【００２２】
店舗側には、店舗端末２０として、カードリーダ端末２１が設置されている。カードリーダ端末２１は、図３に示すように、カード読取部２４、サービスＩＤ記憶部２５、カードＩＤ・サービスＩＤ結合部２６、通信部２７、及びサービス結果表示部２８を有して構成される。カード読取部２４は、顧客のカードを読み取ってカードＩＤ４１を取得する。サービスＩＤ記憶部２５は、店舗で提供されるサービス情報を識別するためのサービスＩＤを記憶する。カードＩＤ・サービスＩＤ結合部２６は、カード読取部２４で読み取ったカードＩＤ４１とサービスＩＤ記憶部２５から読み出したサービスＩＤ４２とを結合する。通信部２７は、カードＩＤ・サービスＩＤ結合部２６で結合したＩＤ４５を事業者サーバ３０に送信し、後述のリアルタイムサービス実行手段３４からサービス実行結果を受信する。サービス結果表示部２８は、リアルタイムサービス実行手段３４からのサービス実行結果をカードリーダ端末２０上に表示する。
【００２３】
カード読取部２４は、カードが紙の場合光学式のリーダであり、バーコード等を読み取ることによってカードのＩＤを認識する。カードが磁気カードの場合は磁気式のリーダで、カードが接触型ＩＣカードの場合はカードとの接点を保有するＩＣカードリーダで、カードが非接触ＩＣカードの場合は非接触ＩＣカード用のアンテナ回路を内蔵するＩＣカードリーダー等で構成される。サービスＩＤ記憶部２５は、その店舗のサービスを特定するためのサービスＩＤを保持しており、フラッシュメモリ等の不揮発性メモリにサービスＩＤを記憶させたものを読み取ることで実現する。サービス結果表示部は、カードリーダ端末に小型のディスプレイを組込み、ＬＥＤや液晶等の画面で実現される。
【００２４】
サービス情報登録手段３６は、カードリーダ端末２１にカードをかざすことにより実施される店舗のサービスの方法とサービスを識別するサービスＩＤとをサービスＤＢ３２に登録する手段であり、端末入力により実行される。
【００２５】
サービス事業者が保有する店舗のサービス情報のデータベースは、図５に示すように、店舗が保持するサービスＩＤと、それに関連するサービス名、店舗名、及びサービス内容とから構成される。サービス内容は、顧客がカードを店舗のカードリーダ端末２１に読み込ませることにより得られるサービスである。例えば、店舗のポイントサービス、駐車場割引サービス、会員証サービス、クーポン情報サービス、ブックマークサービス（店頭の気に入った商品に対して、カードを読み込ませることにより、自宅のＰＣや携帯端末等で、その商品のより詳しい情報にアクセスできるように、商品説明のＵＲＬを消費者ごとに記憶するサービス）等がある。
【００２６】
事業者サーバ３０が有するリアルタイムサービス要求手段３３は、カードリーダ端末２１から送信されるカードＩＤとサービスＩＤを受信し、このカードＩＤから個人情報ＤＢ３１を参照してサービス対象の顧客を特定する。一方、サービスＩＤからサービスＤＢ３２を参照してどのようなサービスを実行すべきかを判断し、リアルタイム実行手段３４を起動する。
【００２７】
事業者サーバ３０が有するリアルタイムサービス実行手段３４は、それぞれのサービスＩＤに対するサービス実行部の集合体であって、店舗のポイントサービス、駐車場割引サービス、会員証サービス、クーポン情報サービス、ブックマークサービス等の処理部を持つ。例えば、ポイントサービスでは、カードの保有者のポイント残高を更新する。会員証サービスでは、会員登録しているかどうかのチェックを行い、その結果をカードリーダ端末２１に送信する（なお、カードリーダ端末２１はそのチェック結果を表示部に表示する）。そして、リアルタイムサービス実行手段３４は、リアルタイムサービス要求手段３３により要求されたサービスを実行した結果として、個人情報ＤＢ３１（カードＩＤの個人情報の履歴項目欄）にサービスの実施日時を記録していく。
【００２８】
図４及び図５に記載された内容に沿って具体的に説明する。リアルタイムサービス要求手段３３は、カードＩＤ「Ａ０１２３４５６」とサービスＩＤ「Ｒ０００１」を受信すると、個人情報ＤＢ３１にアクセスしてサービス対象が「佐藤」という顧客であることを特定する。そして、リアルタイムサービス要求手段３３は、サービス対象顧客として特定した「佐藤」が、店舗ＡのサービスＡの提供を受ける資格があるかについて検証する。図４の例では、顧客「佐藤」についてはサービスＡが既に登録されており、また２００ポイントを保有していることから、リアルタイムサービス要求手段３３は、顧客「佐藤」がサービスＡの提供を受ける資格を有するものと判断する。そして、リアルタイムサービス要求手段３３は、リアルタイムサービス実行手段３４に対して、サービス登録欄のサービスＡのポイントに１０ポイントを加えるように指示を出す。リアルタイムサービス実行手段３４は、リアルタイムサービス要求手段３３からの指示を受けて、個人情報ＤＢ３１にアクセスし、顧客「佐藤」のサービス登録欄の「サービスＡ」のポイントに１０ポイントを加算するとともに、履歴項目欄の「サービスＩＤ・Ａ」の日付を更新する。そして、リアルタイムサービス実行手段３４は、サービスの実行結果として、ポイントサービス実施後のポイント及びサービス実施日時等のデータをカードリーダ端末２１に送信する。
【００２９】
また、店舗側には、店舗端末２０として、バッチサービス要求端末２２が設置されている。バッチサービス要求端末２２は、店舗側から顧客向けの一括サービスあるいは条件付き一括サービスをサービス事業者（事業者サーバ３０）に要求する。また、バッチサービス要求端末２２は、ネットワーク接続されたＰＣや専用端末等から構成され、店舗側からサービスＩＤの入力（前提としてサービスＩＤは事前にサービスＤＢ３２に登録されている必要がある）と、サービス対象の絞り込み条件式と、サービスコンテンツが入力される。
【００３０】
事業者サーバ３０が有するバッチサービス実行手段３７は、バッチサービス要求端末２２からの要求データを受信すると、サービスＩＤからサービスＤＢ３２を検索してサービス内容を特定する。また、バッチサービス実行手段３７は、同サービスを登録している顧客を個人情報ＤＢ３１から検索し、条件式に当てはまる顧客を選別してサービス対象顧客を特定する。そして、バッチサービス実行手段３７は、特定したサービス対象顧客に対して指定されたサービスを実行する。
【００３１】
図４及び図５に記載された内容に沿って具体的に説明する。例えば、店舗Ｘは、店舗Ｘのサービスに登録している顧客で、かつ、最近３ヶ月間の間に店舗でカードを読み込ませた履歴のある顧客に対して、Ｅｍａｉｌでバーゲン情報（サービスコンテンツ）のメール配信を行おうと考えているとする。この場合、バッチサービス要求端末２２において、サービスＩＤ「Ｂ０００１」と、条件式「３ヶ月以内の利用履歴」と、サービスコンテンツ「来週の土日に１０％オフバーゲン開催！」を入力し、バッチサービス実行手段３７に送信する。バッチサービス実行手段３７は、バッチサービス要求端末２２からの要求を受けて、サービスＤＢ３２にアクセスして提供するサービスとして「メール一斉配信」を特定する。また、バッチサービス実行手段３７は、個人情報ＤＢ３１にアクセスして条件式に当てはまる顧客を抽出する。そして、バッチサービス実行手段３７は、サービス対象顧客の登録Ｅｍａｉｌアドレスに、指定されたコンテンツ内容で作成されたメールを一斉配信する。なお、条件式が入力されていない場合は、そのサービスに登録している顧客全員に送信する。また、サービスＩＤによりサービスが変化するので、例えばＤＭ配信サービス等の要求の場合は、個人情報ＤＢ３１に登録されている住所と宛名をリストアップし、ＤＭ配信の別のシステムへデータを渡す動作を行う。
【００３２】
図６は、本実施形態におけるリアルタイムサービス要求処理の流れを示したフローチャートである。まず、リアルタイムサービス要求手段３３は、カードリーダ端末２１からカードＩＤ・サービスＩＤを受信する（ステップＳ１）。そして、個人情報ＤＢ３１にアクセスして、受信したカードＩＤと同一のカードＩＤを検索する（ステップＳ２）。受信したＩＤと同一のカードＩＤが見つからなかった場合（ステップＳ３／ＮＯ）、カードを読み取った顧客は未登録顧客であるため、エラーメッセージを生成してカードリーダ端末２１に送信する（ステップＳ７）。
【００３３】
他方、受信したＩＤと同一のカードＩＤが見つかった場合には（ステップＳ３／ＹＥＳ）、サービスＤＢ３２にアクセスして、受信したサービスＩＤと同一のサービスＩＤを検索する（ステップＳ４）。なお、前提としてサービスＩＤは事前にサービスＤＢ３２に登録されている。そして、検索された同一のサービスＩＤに基づいて、サービスＤＢ３２からその店舗で提供されるサービス内容を特定し取得する（ステップＳ５）。そして、リアルタイムサービス要求手段３３は、リアルタイムサービス実行手段３４に対して、特定したサービス内容でサービス実行を指示する（ステップＳ６）。
【００３４】
図７は、本実施形態におけるリアルタイムサービス実行処理の流れを示したフローチャートである。リアルタイムサービス実行手段３４は、サービスＩＤのサービスを選択する（ステップＳ１１）。サービスＩＤのサービスが「ポイント加算」であった場合（ステップＳ１１／（１））は、個人情報ＤＢ３１にアクセスし、該当サービス欄にポイントを加算してポイント結果を更新する。また、該当するサービスの履歴欄にポイントサービスの実施日を書き込んでデータ更新を行う（ステップＳ１２）。
【００３５】
また、サービスＩＤのサービスが「会員証」であった場合（ステップＳ１１／（２））は、個人情報ＤＢ３１にアクセスし、該当サービス欄に会員証登録があるかどうかチェックする。そして、該当するサービスの履歴欄に会員証の提示履歴（会員証登録のチェック日）を書き込んでデータ更新を行う（ステップＳ１３）。
【００３６】
また、サービスＩＤのサービスが「駐車場割引」であった場合（ステップＳ１１／（３））は、個人情報ＤＢ３１にアクセスし、該当サービス欄に駐車場割引権利が設定されているかどうかチェックする。そして、該当するサービスの履歴欄に会員証の提示履歴（割引権利設定のチェック日）を書き込んでデータ更新を行う（ステップＳ１４）。
【００３７】
図８は、本実施形態におけるバッチサービス実行処理の流れを示したフローチャートである。バッチサービス実行手段３７は、バッチサービス要求端末２２からサービスＩＤ及び絞り込み条件を受信する（ステップＳ２１）。そして、サービスＤＢ３２にアクセスして、受信したサービスＩＤと同一のサービスＩＤを検索する（ステップＳ２２）。なお、前提としてサービスＩＤは事前にサービスＤＢ３２に登録されている。そして、検索された同一のサービスＩＤに基づいて、サービスＤＢ３２からその店舗で提供されるサービス内容を特定し取得する（ステップＳ２３）。そして、個人情報ＤＢを参照しながら該サービス内容が示すサービスを実行する（ステップＳ２４）。
【００３８】
サービスＩＤのサービスが「メール一斉配信」であった場合（ステップＳ２５／（１））は、個人情報ＤＢ３１にアクセスし、個人情報ＤＢ３１に登録されている全顧客に対して、プロファイル項目欄に登録してあるメールアドレスに、店舗で指定されたコンテンツ内容のメールを一斉配信する（ステップＳ２６）。
【００３９】
また、サービスＩＤのサービスが「履歴条件でメール配信」であった場合（ステップＳ２５／（２））は、個人情報ＤＢ３１にアクセスして履歴条件に合致する顧客を抽出し、該顧客のプロファイル項目欄に登録してあるメールアドレスに、店舗で指定されたコンテンツ内容のメールを一斉配信する（ステップＳ２７）。
【００４０】
また、サービスＩＤのサービスが「ＤＭ一斉送付」であった場合（ステップＳ２５／（３））は、個人情報ＤＢ３１にアクセスし、個人情報ＤＢ３１に登録されている全顧客に対して、プロファイル項目欄に登録してある住所に、店舗で指定されたコンテンツ内容のＤＭを一斉に郵送する（ステップＳ２８）。
【００４１】
上述した本実施形態によれば、来店する消費者が保有する紙カードやプラスチックカード（クレジットカード、ポイントカード、交通カード、社員証・学生証等）を用いて、店舗は、店舗にこれらのカードを読み込ませるカードリーダ端末を設置するだけで、顧客情報を把握した様々なサービスと、顧客に対するプロモーションを行うことができる。また、店舗は、顧客管理とプロモーションの情報システム化コストを大幅に削減できる。このため、中小規模の小売店舗でも容易に顧客管理を行うことが可能となり、また、サービスIDを変更することにより、同じカードリーダ端末で異なるサービスに切り替えることが可能となる。
【００４２】
また、上述した本実施形態によれば、個人情報をサービス事業者が一括して管理することで、店舗側は顧客管理システムと個人情報保護システムの構築が不要になり、運用コストを大幅に低減することができる。そして、店舗からリアルタイムのサービスとバッチのサービスの両方をサービス事業者に委託することが可能となり、双方がそれぞれのメリットを享受できる。
【００４３】
また、上述した本実施形態によれば、消費者にとっては、１枚のカードで、様々なサービスの提供を受けることができるようになる。そして、店舗に個人情報を知られなくてもサービスを受けられるという安心感が増大する。
【００４４】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００４５】
すなわち、上記した実施形態における事業者サーバは、プログラムの命令によりコンピュータで実行される処理、手段、機能によって動作する。当該プログラムは、コンピュータの各構成要素に指令を送り、先に述べたような所定の処理や機能、例えば、リアルタイムサービス要求手段３３により、取得したカードＩＤを用いて個人情報ＤＢ３１を検索してサービス対象の顧客を特定し、取得したサービスＩＤを用いてサービスＤＢ３２を検索してサービス内容を特定し、特定された顧客に対する特定されたサービスの実行要求をリアルタイムサービス実行手段３４に送信する処理を行う。また、リアルタイムサービス実行手段３４により、サービス対象の顧客に対するサービスを実行してその実行結果を個人情報ＤＢ３１に記録して更新し、実行結果をカードリーダ端末２１に送信する処理を行う。このように、上記実施形態における各処理や手段は、プログラムとコンピュータとが協働した具体的手段によって実現されるものである。
【００４６】
そして、上記実施形態の機能を実現するソフトウェアのプログラムコードを記録したコンピュータ読み取り可能な記録媒体、すなわち記憶メディアを介して、例えば事業者サーバのコンピュータ（ＣＰＵ）が記憶メディアに格納されたプログラムコードを読み出し実行することによっても、本発明の目的は達成される。また、プログラムは、記録メディアを介さず、通信回線を通じて直接にコンピュータにロードし実行することもでき、これによっても同様に本発明の目的は達成される。
【００４７】
この場合、記憶メディアから読み出された又は通信回線を通じてロードし実行されたプログラムコード自体が前述の実施形態の機能を実現することになる。そして、そのプログラムコードを記憶した記憶メディアは本発明を構成する。
【００４８】
また、プログラムコードを供給するための記憶メディアとしては、例えば、フロッピー（登録商標）ディスク、ハードディスク、光ディスク、光磁気ディスク、ＣＤ−ＲＯＭ、ＣＤ−Ｒ、不揮発性のメモリカード、ＲＯＭ、磁気テープ等を用いることができる。
【図面の簡単な説明】
【００４９】
【図１】本発明が適用されるカードサービスシステムの構成を示した図である。
【図２】本発明の実施形態に係るカードサービスシステムの構成を示した図である。
【図３】本発明に実施形態におけるカードリーダ端末を説明するための図である。
【図４】本発明の実施形態における個人情報データベースの例を示した図である。
【図５】本発明の実施形態におけるサービス情報データベースの例を示した図である。
【図６】本発明の実施形態におけるリアルタイムサービス要求処理の流れを示したフローチャートである。
【図７】本発明の実施形態におけるリアルタイムサービス実行処理の流れを示したフローチャートである。
【図８】本発明の実施形態におけるバッチサービス実行処理の流れを示したフローチャートである。
【符号の説明】
【００５０】
１０，１００    カードサービスシステム
１，２０    店舗端末
２，２１    カードリーダ端末
３，２２    バッチサービス要求端末
４，３０    事業者サーバ
５    個人情報格納手段
６    サービス情報格納手段
７，３３    リアルタイムサービス要求手段
８，３４    リアルタイムサービス実行手段
９，３７    バッチサービス実行手段
２４    カード読取部
２５    サービスＩＤ記憶部
２６    カードＩＤ・サービスＩＤ結合部
２７    通信部
２８    サービス結果表示部
３１    個人情報ＤＢ
３２    サービスＤＢ
３５    個人情報登録手段
３６    サービス情報登録手段
【図１】
0004831088.tif 000002
【図２】
0004831088.tif 000003
【図３】
0004831088.tif 000004
【図４】
0004831088.tif 000005
【図５】
0004831088.tif 000006
【図６】
0004831088.tif 000007
【図７】
0004831088.tif 000008
【図８】
0004831088.tif 000009